(57)【要約】  前壁２、該前壁２に対面する後壁３、１組の側壁４、５、下壁７及び上壁６を有し、夫々の主方向Ａ周りに延びる実質的に平行六面体の形状のタバコ製品のためのパケットであって、該パケットは少なくとも、夫々が主方向Ａに沿って可変なる横方向寸法を有する第１コーナー壁８と第２コーナー壁９を有し、主方向Ａを横切るパケット１の各断面の周囲の長さが実質上一定値を保持するように、第１コーナー壁８は、第２コーナー壁９のそれに相補的な形状を有する、パケットを開示する。【選択図】図１
2015521569.tif 000002
【特許請求の範囲】
【請求項１】
前壁（２）、該前壁（２）に対面する後壁（３）、１組の側壁（４、５）、下壁（７）及び上壁（６）を有し、夫々の主方向（Ａ）周りに延びる実質的に平行六面体の形状のタバコ製品のためのパケットであって、該パケットは少なくとも、夫々が前記主方向（Ａ）に沿って可変なる横方向寸法を有する第１コーナー壁（８）と第２コーナー壁（９）を有し、前記主方向（Ａ）を横切るパケット（１）の各断面の周囲の長さが実質上一定値を保持するように、前記第１コーナー壁（８）は、前記第２コーナー壁（９）のそれに相補的な形状を有することを特徴とするパケット。
【請求項２】
前記下壁（７）及び前記上壁（６）は同じ周囲の長さを有し、前記第１コーナー壁（８）及び第２コーナー壁（９）は、夫々、前記側壁（４、５）と夫々の前壁（２）又は後壁（３）との間に挟まれていることを特徴とする請求項１に記載のパケット。
【請求項３】
前記第１コーナー壁（８）は、前記上壁（６）に向けて増大する横寸法を有し、前記第２コーナー壁（９）は前記第１コーナー壁を補完して減少する横寸法を有することを特徴とする請求項２に記載のパケット。
【請求項４】
前記第１コーナー壁の横寸法の増加は前記第２コーナー壁の横寸法の減少に対応し、これら２つ横寸法の合計は、主方向（Ａ）におけるパケットの延びに沿って一定に保たれることを特徴とする請求項２又は３に記載のパケット。
【請求項５】
各コーナー壁（８、９）は三角形又は台形の形を有することを特徴とする請求項２〜４のいずれか一項に記載のパケット。
【請求項６】
各コーナー壁（８、９）は、前記側壁（４、５）と夫々の前壁（２）又は後壁（３）との間を接続する曲面を有することを特徴とする請求項２〜４のいずれか一項に記載のパケット。
【請求項７】
各コーナー壁（８、９）は円錐又は円錐台状の形を有することを特徴とする請求項２〜４のいずれか一項に記載のパケット。
【請求項８】
前記第１コーナー壁（８）及び第２コーナー壁（９）は、同一の側壁（４、５）又は前記前壁（２）又は前記後壁（３）の両側に配置され、前記側壁（４、５）又は前記前壁（２）又は前記後壁（３）は、前記主方向（Ａ）に対して所定の角度α傾斜した伸長方向（Ｂ）を有することを特徴とする請求項２〜７のいずれか一項に記載のパケット。
【請求項９】
前記側壁（４、５）又は前記前壁（２）又は前記後壁（３）は、その斜辺が前記第１コーナー壁（８）及び前記第２コーナー壁（９）の各端縁部（８ａ、８ｂ、９ａ、９ｂ）によって形成される平行四辺形の形を有することを特徴とする請求項８に記載のパケット。
【請求項１０】
パケットは１組の第１コーナー壁（８）と１組の第２コーナー壁（９）を有し、前記主方向（Ａ）を横切る各断面の周囲の長さが実質上一定値を保持するように、各第１コーナー壁（８）は、夫々の第２コーナー壁（９）のそれに相補的な形状を有することを特徴とする請求項２〜９のいずれか一項に記載のパケット。
【請求項１１】
各第１コーナー壁（８）及び／又は第２コーナー壁（９）は、前記前壁（２）を横切り前記主方向（Ａ）に平行な中央面に関して、他方の第１コーナー壁（８）及び／又は第２コーナー壁（９）と対称であることを特徴とする請求項１０に記載のパケット。
【請求項１２】
各第１コーナー壁（８）及び／又は第２コーナー壁（９）は、前記主方向（Ａ）に平行であって前記下壁（７）又は前記上壁（８）の対向する２つの頂点を結ぶ平面に関して、他方の第１コーナー壁（８）及び／又は第２コーナー壁（９）と対称であることを特徴とする請求項１０に記載のパケット。
【請求項１３】
前記パケットは、
タバコ製品（Ｓ）を含むための区画（Ｖ）へのアクセスのためのアクセス開口部（１０ｂ）を形成する上端縁部（１０ａ）を設けた箱本体（１０）、及び
前記上端縁部（１０ａ）において前記箱本体（１０）にヒンジ結合され、箱本体に対し、前記アクセス開口部（１０ｂ）が閉鎖された位置とアクセス開口部（１０ｂ）が開放した位置との間で回転する蓋（１１）を有し、前記第１コーナー壁（８）と前記第２コーナー壁（９）は前記箱本体（１０）上で部分的かつ前記蓋（１１）上で部分的に延びることを特徴とする請求項２〜１２のいずれか一項に記載のパケット。
【請求項１４】
前記パケットは、前記箱本体（１０）の前記アクセス開口部（１０ｂ）から立ち上がるように前記上端縁部（１０ａ）に接続されるカラー（１２）を有し、該カラーは、前記蓋（１１）が閉鎖位置にある時にカラーの上に重なる蓋（１１）のコーナー壁の対応部分（８ｃ、９ｃ）に整合するように形成された少なくとも１つのコーナー壁（１３、１４）を有することを特徴とする請求項１３に記載のパケット。
【請求項１５】
前記パケットはフラットブランク（１００）から作られ、該フラットブランクは長軸（Ｂ）と、厚紙などから作られた実質上矩形の形状とを有することを特徴とすることを特徴とする請求項２〜１４のいずれか一項に記載のパケット。
【請求項１６】
前記パケット（１）の主方向（Ａ）に対応するブランクの最長伸長方向（Ｃ）に沿って連続して位置する複数のパネル（１０１）であって、夫々が最長伸長方向（Ｃ）を横切る折り線（１０２）によって次のパネルに接続されると共に、パケット（１）の前壁（２）、後壁（３）、上壁（６）及び下壁（７）を形成する複数のパネル（１０１）、及び
１つ以上のパネル（１０１）の両側に位置する複数の舌部（１０３ａ、１０３ｂ）であって、夫々の舌部（１０３ａ、１０３ｂ）がパケット（１）の側壁（４、５）の内面又は外面を形成する複数の舌部（１０３ａ、１０３ｂ）、を有し、請求項２〜１５のいずれか一項に記載のタバコ製品のパケット（１）を製造するためのフラットブランクであって、
該ブランクは、少なくとも、各舌部（１０３ａ、１０３ｂ）とパネル（１０１）との間に挟まれ、前記ブランクの最長伸長方向（Ｃ）に沿って可変なる横寸法を有した第１タブ（１０４）と第２タブ（１０５）を有し、前記第１タブ（１０４）は前記第２タブ（１０５）のそれを相補する形状を有して、パケット（１）の前記第１コーナー壁（８）と前記第２コーナー壁（９）を少なくとも部分的に形成することを特徴とするフラットブランク。
【請求項１７】
各タブ（１０４、１０５）は、第１折り線（１０４ｂ、１０５ｂ）により夫々のパネル（１０１）に、第２折り線（１０４ａ、１０５ａ）により夫々の舌部（１０３ａ、１０３ｂ）に接続され、前記第１タブ（１０４）の前記第２折り線（１０４ａ）は、前記第２タブ（１０５）の第２折り線（１０５ａ）を相補する輪郭を形成していることを特徴とする請求項１６に記載のブランク。
【請求項１８】
第１タブ（１０４）及び／又は第２タブ（１０５）の夫々は、三角形または台形の形を有することを特徴とする請求項１６又は１７に記載のブランク。
【発明の詳細な説明】
【技術分野】
【０００１】
本発明はタバコ製品のためのパケットに関する。より具体的には、本発明は、弱め線を伴い、厚紙や板紙やプラスチック材等からなる夫々のフラットブランクから得られる硬質タイプのタバコパケットの生産において特に有効であって、以下、本記述はそれらを引用することになるが、これによって本発明の範囲を限定するものではない。
【背景技術】
【０００２】
矩形の断面と鋭敏な長手方向コーナーを持って実質上、平行六面体の形状の従来型硬質パケットは、それがつかみにくい程、かなり解剖学的形状でないことに加え、上述したコーナーによって喫煙者の衣服のポケットを傷めてしまう可能性があるといった、幾つかの欠点を抱えている。
【０００３】
これらのタイプの欠点を克服するため、これまでの技術では、丸まったコーナーや実質上、楕円形や長円の断面さえも有する、様々なタイプのパケットを提案している。
【０００４】
例えば、本発明と同じ出願人の文献で、鋭敏なコーナーを無くすようにパケットの内側に凹面が向くようにして長手方向（即ち、パケットの主方向に平行な）コーナーが全て丸みを帯びるようなヒンジ蓋式の硬質タバコパケットを示している（例えば、特許文献１参照。）。この解決策はユーザの衣服の摩滅を抑えることはできるが、パケットの把持性を顕著なまでに改善するものではない。
【０００５】
加えて、鋭敏な長手方向コーナーを無くすと構造的剛性が貧弱になり、結果として、特に丸みを帯びたコーナーでパケットが容易に変形してしまうことが判明している。
【０００６】
更なる欠点としては、丸みを帯びたコーナーは、従来からの包装機に大きな改良を施すことによってしか達成できないということである。更に詳しく言えば、パケットが完成した際に、丸みを帯びたコーナーを成すストリップを構成することになるブランク領域を予め変形させておくといったような複雑な工程を実行する必要があった。
【０００７】
上述した欠点の殆どが存在しないようなもう１つの従来技術の解決策が、再び本発明と同じ出願人による、ヒンジ蓋タイプのタバコパケットを示した特許文献によって知られており（例えば、特許文献２参照。）、ここでは長手方向コーナーに、パケットの主方向に沿って同じ可変寸法を有する連結壁がある。
【０００８】
このようにして、パケットの周囲の長さは、把持領域において最大値と最小値を持つ。
【０００９】
換言すれば、可変寸法を伴った連結壁により、少なくとも１つの所定領域においてパケットの断面積を減じることができ、これによってつかみ易くなる。
【００１０】
不都合なことに、この解決策はパケットを包装する工程において問題のあることが分かっている。
【００１１】
実際には、透明な外包装シートを用いてパケットを包装するように設計されかつ尖った長手方向コーナーを持った平行六面体パケットに対して提供される従来からのセロファン機は、この種のパケットのその作業には適していないことが判明した。
【００１２】
更に詳しく言えば、最小断面を持つ領域ではパケットを正確に包装することが難しくなり、空間が作られ、結果として美しくない皺や折り目が形成されることになる。
【先行技術文献】
【特許文献】
【００１３】
【特許文献１】国際公開第２００１／０４４０７７号
【特許文献２】イタリア国特許出願公開第９８Ａ０００００８号
【発明の概要】
【発明が解決しようとする課題】
【００１４】
本発明の基本技術目的は、上述した欠点のないタバコ製品用パケットを提供することにある。
【００１５】
より詳しく言えば、本発明の目的は、容易につかむことができると同時に梱包が容易なタバコ製品のための硬質パケットを提供することにある。
【課題を解決するための手段】
【００１６】
上記の技術的目的、並びに特定した目的は独立請求項１に記載の技術的特徴を有するタバコ製品用パケットによって達成される。
【００１７】
更に、上記の技術的目的、並びに特定した目的は独立請求項１６に記載の技術的特徴を有する、パケットを作るためのフラットブランクによって達成される。
【００１８】
本発明を、その非限定的実施形態を示す添付図面を参照しながら、以下説明する。
【図面の簡単な説明】
【００１９】
【図１】開放状態における、本発明によるパケットの第１実施形態の前方斜視図である。
【図１ａ】図１のパケットの詳細部を作るためのブランクの平面図である。
【図２ａ】閉鎖状態における、図１のパケットの前方斜視図である。
【図２ｂ】閉鎖状態における、図１のパケットの後方斜視図である。
【図３ａ】閉鎖状態における、図１のタバコパケットの直角投影図である。
【図３ｂ】閉鎖状態における、図１のタバコパケットの直角投影図である。
【図３ｃ】閉鎖状態における、図１のタバコパケットの直角投影図である。
【図３ｄ】閉鎖状態における、図１のタバコパケットの直角投影図である。
【図３ｅ】閉鎖状態における、図１のタバコパケットの直角投影図である。
【図３ｆ】閉鎖状態における、図１のタバコパケットの直角投影図である。
【図４】図１のパケットを作るために使用されるブランクを示す図である。
【図５ａ】本発明によるパケットの第２実施形態の前方及び後方斜視図である。
【図５ｂ】本発明によるパケットの第２実施形態の前方及び後方斜視図である。
【図６】図５ａ、５ｂのパケットを作るために使用されるブランクを示す図である。
【図７ａ】本発明によるパケットの第３実施形態の前方斜視図である。
【図７ｂ】本発明によるパケットの第３実施形態の後方斜視図である。
【図８】図７ａ、７ｂのパケットを作るために使用されるブランクを示す図である。
【図９ａ】本発明によるパケットの第４実施形態の前方斜視図である。
【図９ｂ】本発明によるパケットの第４実施形態の後方斜視図である。
【図１０ａ】本発明によるパケットの第５実施形態の前方斜視図である。
【図１０ｂ】本発明によるパケットの第５実施形態の後方斜視図である。
【図１１ａ】本発明によるパケットの第６実施形態の前方斜視図である。
【図１１ｂ】本発明によるパケットの第６実施形態の後方斜視図である。
【図１２ａ】本発明によるパケットの第７実施形態の前方斜視図である。
【図１２ｂ】本発明によるパケットの第７実施形態の後方斜視図である。
【図１３】開放状態における、本発明によるパケットの第８実施形態の前方斜視図である。
【図１３ａ】図１３のパケットの詳細部を作るためのブランクの平面図である。
【図１４ａ】閉鎖状態における、図１３のパケットの前方斜視図である。
【図１４ｂ】閉鎖状態における、図１３のパケットの後方斜視図である。
【図１５ａ】本発明によるパケットの第９実施形態の前方斜視図である。
【図１５ｂ】本発明によるパケットの第９実施形態の後方斜視図である。
【図１６ａ】本発明によるパケットの第１０実施形態の前方斜視図である。
【図１６ｂ】本発明によるパケットの第１０実施形態の後方斜視図である。
【発明を実施するための形態】
【００２０】
添付図面を参照するに、参照番号１は、本発明によるタバコ製品のためのパケットを示している。
【００２１】
以下の説明では、それによって本発明の範囲を制限することなく、紙巻きタバコからなる喫煙用具を参照する。
【００２２】
記述されるパケットはヒンジ蓋付きタイプのものであるが、本発明は、それがヒンジ蓋付きタイプであれ他のタイプのものであれ、タバコ製品のための如何なるタイプのパケットをも引用していることに留意すべきである。
【００２３】
パケット１は、主方向”Ａ”に関して実質的に平行六面体の形で延びる硬質タイプのものであって、その内部にタバコの一群“Ｓ”を収容するように設計された区画を有するものである。
【００２４】
より具体的には、主方向”Ａ”は、それに沿ってパケット１が主として延びる方向を指す。
【００２５】
より詳しくは、パケット１は、前壁２、その前壁２と対向する後壁３、１組の側壁４、５、下壁７及び上壁６を有している。
【００２６】
前壁２は、実質的に平坦であり、それらの横方向である（互いに平行である）５つの側壁４、一方で、後壁３と平行に延びる。
【００２７】
下壁７と上部壁６が主方向”Ａ”に対して直角（少なくともパケット１の閉鎖形態）であり、複数の側面を有しているから前壁２と後壁３と側面壁４は、延長５。
【００２８】
これは、下壁６及び上壁６は、同じ周囲拡張子「P」を有することに留意すべきである。
【００２９】
その結果、下壁７の周囲の長さは、（数値上）上壁６と等しい。
【００３０】
更に、下壁７は又、それに対しオフセットしてはいるが、上壁６と同じ形状を有する。
【００３１】
本発明によれば、パケット１は、少なくとも１つの第１コーナー壁８と、少なくとも１つの第２のコーナー壁９とを有し、各々は、側壁４、５と前壁２又は後壁３との間に挟まれている。
【００３２】
言い換えれば、パケット１は、前壁２又は後壁３と各側壁４、５の両方に対して傾斜した、少なくとも２つのコーナー壁を有している。
【００３３】
第１のコーナー壁８と第２のコーナー壁９は、パケット１の主方向”Ａ”に沿って変化する横寸法を持つ。
【００３４】
具体的には、第１のコーナー壁８と第２のコーナー壁９は、パケット１の主方向”Ａ”に沿って直線的に変化する横寸法を持つ。
【００３５】
ここでえ“横”という用語は、パケット１の主方向”Ａ”に対して横断する形（より詳しくは、それに対し直角を成す平面上において）で測定した寸法を意味するものとして使用される。
【００３６】
より詳細には、夫々のコーナー壁８、９は、２つの端縁８ａ；８ｂ、９ａ；９ｂの間に延びており、夫々前壁２又は後壁３と側壁４、５に接続されている。
【００３７】
従って、単一のコーナー壁８、９の２端縁部８ａ；８ｂ、９ａ；９ｂの間の距離の測定値は主方向”Ａ”に沿って変化するものである。
【００３８】
従って、パケット１の異なる横断断面（即ち、主方向”Ａ”に直角となる断面）毎に、各コーナー壁８、９の異なる横方向寸法が存在する。
【００３９】
各横断面の周囲（即ち、外周延長）を一定に維持するように、第１コーナー壁８は第２コーナー壁９のそれに相補的な形状を有する。
【００４０】
本願明細書中における“相補的”という用語は、第１コーナー壁８の横方向寸法の変化が第２コーナー壁９の横方向寸法の真逆だが同等の変化に対応していることを明確に述べるために使用される。
【００４１】
言い換えれば、２つの横方向寸法の合計が一定に保たれるように、第１コーナー壁８の横方向寸法の増加は第２コーナー壁９の横方向の寸法の減少に対応している（その逆も同様）。
【００４２】
有利なこととして、このように横方向の寸法の合計は、主方向”Ａ”に沿ってパケットの全体延長に沿って一定に保たれる。
【００４３】
更に、このようにして、その梱包に悪影響を与えることなくより良い把持性が得られる。何故なら、主方向”Ａ”に沿ってパケットの形状の変化があるが、その外周延長は一定に保たれているからである。
【００４４】
これは、パケット１をセロファン包装する際に空間や折り目が形成されてしまうのを防止している。
【００４５】
好ましくは、第１コーナー壁８は、上壁６に向かって横方向寸法が増加し、第２コーナー壁９はそのような第１コーナー壁８を補完して減少する横方向寸法を有する。
【００４６】
従って、第１コーナー壁８の２つの端縁部８ａ、８ｂは上壁６に向かう主方向“Ａ”に沿って互いに離れる拡張を持っている。
【００４７】
逆に、第２コーナー壁９の２つの端縁部９ａ、９ｂは、下壁７に向かう主方向“Ａ”に沿って互いに離れる伸長を持っている。
【００４８】
さらに好ましくは、図示した実施形態によれば、コーナー壁８、９の端縁部８ａ、８ｂ、９ａ、９ｂは単一の曲率を有しており、即ち曲率に変化を持たない。
【００４９】
幾つかの実施形態では（図１〜９ｂ、及び図１１ａ〜１４ｂ）、コーナー壁８、９は、下壁７に接続された第１端部と上壁６に接続された第２端部の間において、パケット１の全体の伸長に沿って延びる。
【００５０】
或いは、図１０ａ、１０ｂ、１５ａ及び図１５ｂに示すように、コーナー壁８、９は、一端が下壁７又は上壁６に接続される一方、他端は、パケット１の長手方向伸長の中間域に接続されるといったような部分的拡張部を有する。
【００５１】
図１０ａ、１０ｂに示す実施形態では、各コーナー壁８、９は三角形の形を有する。即ち、第１コーナー壁は、下壁７又は上壁６に頂点を持った三角形の第１ハーフ部分と、前壁２又は後壁３と各側壁４、５の間に斜面を形成する一定の形の第２ハーフ部分とを有する。
【００５２】
他方、第２コーナー壁９は、下壁７に位置する第１端部と、前壁２又は後壁３と各側壁４、５の間の接合点を定める第２端部との間に延び、その後は１つの端縁部として続いている。
【００５３】
これに代わるもの（図１５ａ、１５ｂ、１６ａ、１６ｂ）としては、コーナーの壁８、９は台形の形を有する。三角形と形と同様に、台形の形状も又、壁の全長に亘って延びることができ（図１６ａ、図１６ｂ）、或いはその一部分だけに延びることも可能である（図１５ａ、１５ｂ）。
【００５４】
好ましくは、コーナー壁８、９は実質的に平面な形を有する。より具体的には、それらは、隣接する側壁４、５に対して、２０〜８０度の間の角度、好ましくは３０〜６０度の間の角度、より好ましくは４５度で傾斜する夫々の平面上に横たわる。
【００５５】
代替的には、コーナー壁８、９は、側壁４、５と前壁２又は後壁３との間を接続する曲面（図１３〜図１４ｂ）を持つことが可能なことに留意されたい。
【００５６】
この実施形態では、各コーナー壁８、９は、円錐または円錐台形状の形状を有する。
【００５７】
有利には、この後者の実施形態では（湾曲形状）のコーナー壁８,９大きな横方向寸法を有するそれらの部分の少なくとも一方に、定義、前壁２または後壁３と各側壁４,５の間の接合部、ユーザにとってより快適なグリップ作る。
【００５８】
これは、第１のコーナー壁８と第２のコーナー壁９が前壁２の後壁３と各側壁４,５の間の任意の角度で配置することができることに留意すべきである。
【００５９】
図５ａ、５ｂに示す実施形態では、第１のコーナー壁８と第２のコーナー壁９は夫々、前壁２と各側壁４、５の間に挟まれている。
【００６０】
図７ａ、７ｂ、１１ａ、１１ｂに示す実施形態では、第１のコーナー壁８と第２のコーナー壁９は夫々、同じ側壁４と、前壁２及び後壁３の夫々との間に挟まれている。
【００６１】
上述した実施形態においては、第１コーナー壁８と第２コーナー壁９の間に挟まれる側壁４、５や前壁２又は後壁３は、主方向“Ａ”に対して所定角度α傾斜した延長方向“Ｂ”を有することに留意されたい（図３ｂ、３ｃ）。
【００６２】
好ましくは、第１コーナー壁８と第２コーナー壁９の間に挟まれた側壁４、５や前壁２又は後壁３は、その斜辺が第１コーナー壁８と第２コーナー壁９の各端縁部８ａ、８ｂ、９ａ、９ｂによって形成される平行四辺形の形を有する。
【００６３】
図９ａ、９ｂに示す実施形態では、第１コーナー壁８は前壁２と側壁４との間に挟まれている一方、第２コーナー壁９は後壁３と他方の側壁５の間に挟まれており、それらはパケット１の対角面に沿って配置されている。
【００６４】
従って、この実施形態では、前面２、後面３及び側面４、５の双方は台形の形をしている。
【００６５】
有利な点として、このように面取りコーナー壁９、８がユーザのつかむ領域に作られるため、パケットは特につかみ易い。
【００６６】
好ましくは、パケット１（図１〜８ａ）は、１組の第１コーナー壁８と１組の第２コーナー壁９を有する。
【００６７】
即ち、これらの実施形態では、パケットは、通常のパケットでは直角となる鋭いコーナーと完全に置換する４つのコーナー壁８、９を有している。
【００６８】
上述した実施形態と同様の方法で（本発明の精神においても）、主方向“Ａ”を横切る各断面の外周延長を実質上、一定に保つような方法で、各第１コーナー壁８は、夫々の第２コーナー壁９のそれを補完する形状を持つ。
【００６９】
図１の実施形態では、各第１コーナー壁８は、前壁２を横切って主方向“Ａ”に平行な中央平面に関し、他の第１コーナー壁８に対称である。更に、本実施形態において、各第２コーナー壁９は上述した中央平面に関し、他の第２コーナー壁９に対称である。
【００７０】
即ち、夫々の第１コーナー壁８及び／又は第２コーナー壁９は、前壁２を横切って主方向“Ａ”に平行な中央平面に関し、他の第１コーナー壁８及び／又は第２コーナー壁９に対称である。
【００７１】
これに代わり、例えば図７ａ、７ｂの実施形態では、主方向”Ａ”に平行でかつパケット１の下壁７（又は上壁６）の対向する２つの頂点を結ぶ平面に関し、第１のコーナー壁８は互いに対称である。
【００７２】
同様に、第２コーナー壁９がその平面に対して互いに対称となる。
【００７３】
基本的に、夫々の第１コーナー壁８及び／又は第２コーナー壁９は、主方向”Ａ”に平行でかつ下壁７又は上壁６の対向する２つの頂点を結ぶ平面に関し、他方の第１コーナー壁８及び／又は第２コーナー壁９に対称となる。
【００７４】
既に述べたように、本発明の範囲を限定することなく、図示された実施形態は全て、ヒンジ蓋付きタイプのタバコ製品のための硬質パケットに関連するものである。
【００７５】
その結果として、パケットは、タバコ製品“Ｓ”を含む区画“Ｖ”へのアクセスのための開口部１０ｂを形成する上端縁部１０ａを設けた箱本体１０と、その上端縁部１０ａにおいて箱本体１０にヒンジ結合された蓋１１とを有する。より具体的には、例えば図１及び図２ｂを参照した場合、蓋１１は後壁３において上端縁部１０ａに沿ってヒンジ結合される。このようにして、箱本体１０に対して蓋１１は、アクセス開口部１０ｂが閉鎖される位置と、アクセス開口部１０ｂが開放される位置との間で自由に回転することができる。
【００７６】
この観点から、第１コーナー壁８と第２コーナー壁９（或いは、組の場合、各第１コーナー壁８と各第２コーナー壁９）は、箱本体１０上において部分的に延びると共に蓋１１上においても部分的に延びる。
【００７７】
これとは別に、各第１コーナー壁８と第２コーナー壁９を箱本体１０上だけに形成することもでき（図１０ａ、１０ｂ）、又蓋１１上だけに形成することも可能である（図示せず）。
【００７８】
具体的には、箱本体１０は主方向“Ａ”に沿って延びると共に、前壁２の一部を形成する前面、後壁３の一部を形成する後面、側壁４，５の一部を形成する一対の側面、及びパケット１の下壁７を画定する下面を有する。
【００７９】
同様に、蓋１は、前壁２の一部を形成する前面と、後壁３の一部を形成する後面、側壁４、５の一部を形成する一対の側面、及びパケット１の上壁６を形成する上面を有する。
【００８０】
それが閉鎖位置にあるとき、蓋１１の各面は箱体１０のそれらと相補する形となり、パケット１の各壁を形成する。
【００８１】
パケット１は又、アクセス開口部１０ｂから立ち上がるように箱本体１０の上端縁部１０ａに接続されたカラー１２を備える。
【００８２】
カラー１２は、タバコ製品（タバコ）を取り出すための中央の切欠きを形成するように実質的にＵ字形状である。
【００８３】
従って、カラー１２は２つの側壁１２ａ、１２ｂと、“Ｕ”字の形を形成するように切欠かれた上端縁部を有する前壁１２ｃとを有する。
【００８４】
この観点から言えば、カラー１２は、蓋１１に作られたコーナー壁８、９の対応部分８ｃ、９ｃに整合するような形状を有しかつ蓋１１が閉鎖位置にある時、これら対応部分上に重ね合わされる少なくとも１つのコーナー壁１３、１４を有する。
【００８５】
側壁を持たずに、カラー１２は、前壁２に関連付けられたパケット１のコーナー壁８、９の数に等しい多数のコーナー壁１３、１４を持つ。
【００８６】
従って、図１、５ａ、５ｂ、７ａ、７ｂ、１２ａ、１２ｂ及び図１３に示された実施形態では、カラー１２は、２つのコーナー壁１３、１４を有する。
【００８７】
図９ａ、９ｂ、１１ａ及び図１１ｂに示された実施形態では、カラー１２は単一のコーナー壁１３を有している。
【００８８】
上述したパケット１は、好ましくは、厚紙等からなるフラットブランク１００から作られ、それは又、本発明の目的を成すものである。ブランク１００は、パケット１の主方向“Ａ”に対応する最長伸長の軸線“Ｃ”を有し、実質上矩形である。
【００８９】
より具体的には、ブランク１００は、ブランクの最長伸長方向“Ｃ”に沿って連続して位置する複数のパネル１０１を有し、夫々は最長伸長方向“Ｃ”に横切る折り目線１０２により次のパネルへと接続されている。
【００９０】
パネル１０１は、パケット１の前壁２、後壁３、上壁６及び下壁７を形成する。
【００９１】
更に、ブランク１００は、１つ以上のパネル１０１の両側に１組の舌部１０３ａ、１０３ｂを有し、各舌部１０３ａ、１０３ｂはパケット１の側壁４、５５の内面又は外面を形成する。
【００９２】
本発明によれば、ブランク１００は又、少なくとも１つの第１タブ１０４と第２タブ１０５を有し、各々は舌部１０３ａ、１０３ｂと各パネル１０１の間に挟まれる。
【００９３】
タブ１０４、１０５の各々は、ブランク１００の最長伸長方向“Ｃ”に沿って変化する横方向寸法を持つ。
【００９４】
上述したことと同様に、“横方向”という用語は、ブランク１００の最長伸長方向“Ｃ”を横切る（具体的には、直角を成す）寸法を意味するべく使用される。
【００９５】
より詳細には、各タブ１０４、１０５は、第１折り目線１０４ａは、１０５ａ及び第二の折り線１０４ｂとの間に延びている。
【００９６】
より具体的には、各タブ１０４、１０５は、第１折り線１０４ａ、１０５ａによって夫々のパネル１０１へ、第２折り線１０４ｂ、１０５ｂによって夫々の舌部１０３ａ、１０３ｂへ接続されている。
【００９７】
従って、単一のタブ１０４、１０５の２つの折り目線１０４ａ、１０５ａ；１０４ｂ、１０５ｂの間の距離の測定値は、最長伸長方向“Ｃ”に沿って変化する。
【００９８】
折り線１０４ａ、１０５ａ、１０４ｂ、１０５ｂは、パケット１のコーナー壁８、９の端縁部８ａ、８ｂ、９ａ、９ｂを形成していることに留意すべきである。
【００９９】
従って、パケット１の第１コーナー壁８と第２コーナー壁９を少なくとも部分的に形成するように、第１タブ１０４は第２タブ１０５を補完する形状を有している。
【０１００】
このように、第１タブ１０４の第２折り線１０４ｂは、第２タブ１０５の第２折り線１０５ｂを補完する輪郭線を形成する。
【０１０１】
コーナー壁８、９がパケット全体１に沿って実質的に長手方向に延びるような実施形態では、ブランク１００は、夫々がパネル１０１に関係した１対の第１タブ１０４と１対の第２タブ１０５を有する。
【０１０２】
各第１タブ１０４は、パケット１の単一の第１コーナー壁８を形成するために並べられ他の第１タブ１０４と、ブランクの横方向寸法を一定に維持するために関連付けられた第２タブ１０５との双方に対して相補的関係にある。
【０１０３】
同様に、各第２タブ１０５は、パケット１の単一の第２コーナー壁９を形成するために並べられた他の第２タブ１０５と、ブランクの横方向寸法を一定に維持するために関連付けられた第１タブ１０４との双方に対して相補的関係にある。
【０１０４】
パケット１が、パケット１の全体の伸長に沿って実質的に長手方向に延びる４つのコーナー壁８、９を有するような実施形態では、ブランク１００は、８つのタブ１０４、１０５を有する。
【０１０５】
具体的には、ブランク１００は、相互補完関係にある組の４つの第１タブ１０４と、相互補完関係にある組の４つの第２タブ１０５とを有している。
【０１０６】
第１タブ１０４の各組は又、対応する組の第２タブ１０５と関連付けられ、相補的関係にある。
【０１０７】
好ましくは、各第１タブ１０４及び／又は第２タブ１０５は、三角形又は台形である。
【０１０８】
幾つかの実施形態では、各第１タブ１０４及び／又は第２タブ１０５は湾曲面を有する。
【０１０９】
本発明は、設定された目的を達成すると共に重要な利点をもたらす。
【０１１０】
実際には、相補的な拡張部を伴ったコーナー壁があることで、パケットを容易につかむことができる同時に、梱包が簡単である。
【０１１１】
実際には、各組のコーナー壁（第１＋第２）が等しくかつ逆の伸長を持つことでパケットの周囲の長さが、パケットの長手方向の長さ全体に対して一定を保つ。
【０１１２】
更に、このように傾斜したコーナー壁の使用は、これまでのパケットがユーザの衣服を摩耗させる鋭いコーナーの存在を少なくとも部分的に排除する。
【０１１３】
最後に、パケットの特定形状は、外観上からも特に快適で革新的なものであることに留意すべきである。
【図１】
2015521569.tif 000003
【図１ａ】
2015521569.tif 000004
【図２ａ】
2015521569.tif 000005
【図２ｂ】
2015521569.tif 000006
【図３ａ】
2015521569.tif 000007
【図３ｂ】
2015521569.tif 000008
【図３ｃ】
2015521569.tif 000009
【図３ｄ】
2015521569.tif 000010
【図３ｅ】
2015521569.tif 000011
【図３ｆ】
2015521569.tif 000012
【図４】
2015521569.tif 000013
【図５ａ】
2015521569.tif 000014
【図５ｂ】
2015521569.tif 000015
【図６】
2015521569.tif 000016
【図７ａ】
2015521569.tif 000017
【図７ｂ】
2015521569.tif 000018
【図８】
2015521569.tif 000019
【図９ａ】
2015521569.tif 000020
【図９ｂ】
2015521569.tif 000021
【図１０ａ】
2015521569.tif 000022
【図１０ｂ】
2015521569.tif 000023
【図１１ａ】
2015521569.tif 000024
【図１１ｂ】
2015521569.tif 000025
【図１２ａ】
2015521569.tif 000026
【図１２ｂ】
2015521569.tif 000027
【図１３】
2015521569.tif 000028
【図１３ａ】
2015521569.tif 000029
【図１４ａ】
2015521569.tif 000030
【図１４ｂ】
2015521569.tif 000031
【図１５ａ】
2015521569.tif 000032
【図１５ｂ】
2015521569.tif 000033
【図１６ａ】
2015521569.tif 000034
【図１６ｂ】
2015521569.tif 000035
【国際調査報告】
2015521569.tif 000036
2015521569.tif 000037